(57)【要約】【課題】２次元コード画像の相互間の間隔を自在に指定して印刷を行うことができる印刷装置を提供することをその課題としている。【解決手段】複数の２次元コード画像１６２を作成する画像作成手段と、複数の２次元コード画像１６２の相互間の間隔Ｌ１を設定する間隔設定手段と、間隔設定手段によって設定した間隔Ｌ１を有して、複数の２次元コード画像１６２を印刷する印刷手段１１０と、を備えたものである。【選択図】図７
2007216570.tif 000002
【特許請求の範囲】
【請求項１】
複数の２次元コード画像を作成する画像作成手段と、
前記複数の２次元コード画像の相互間の間隔を設定する間隔設定手段と、
前記間隔設定手段によって設定した前記間隔を有して、前記複数の２次元コード画像を印刷する印刷手段と、を備えたことを特徴とする印刷装置。
【請求項２】
前記間隔設定手段は、前記２次元コード画像が必要とする余白部分が確保され、且つ前記２次元コード画像が印刷媒体に収まる範囲で、前記間隔を選択設定するための複数の選択肢を有していることを特徴とする請求項１に記載の印刷装置。
【請求項３】
前記複数の前記２次元コード画像が、一連の入力データを分割した複数の分割２次元コード画像から成ることを特徴とする請求項１または２に記載の印刷装置。
【請求項４】
前記複数の前記２次元コード画像が、一連の入力データを分割した複数の分割２次元コード画像と単一の２次元コード画像とから成ることを特徴とする請求項１または２に記載の印刷装置。
【発明の詳細な説明】
【技術分野】
【０００１】
本発明は、入力データに基づいて２次元コード画像を作成し、これを印刷対象物に印刷する印刷装置に関するものである。
【背景技術】
【０００２】
従来、この種の印刷装置として、２次元コード画像（ＱＲコード画像）の入力データを複数に分割して複数の分割２次元コード画像を作成し、これを印刷する機能を備えたものが知られている（特許文献１参照）。この分割機能を備えた印刷装置では、例えば入力データが単一の２次元コードに格納できるデータ量を越えた場合に、入力データを分割し複数の分割２次元コード画像としてデータ量を満たすようにしている。この場合、複数の分割２次元コード画像は、それぞれの周りを囲うマージン（余白部分）を確保して横並びの配置で印刷される。
【特許文献１】特開平１１−７４８４号公報
【発明の開示】
【発明が解決しようとする課題】
【０００３】
しかしながら、上記構成では、複数の分割２次元コード画像の相互間の間隔をユーザの望む寸法に指定することができず、読み取りが煩雑となる問題があった。この点、単独の２次元コード画像が複数並んでいる場合も、同様の問題が生ずる。すなわち、複数の２次元コード画像が横並びに近接して印刷される場合には、コードリーダの読み取り範囲内に読取り対象となる２次元コード画像のみが収まるように、コードリーダを遠近微調整する必要がある。特に読取り部が幅広形状のコードリーダ（バーコード兼用）で読み取る場合は、その読取り部の形状から２次元コード画像が横並びに近接して配置されていると、縦方向からの読み取りでは読取対象を限定しづらく、読取り方向を縦方向から横方向に変える必要があるため煩わしい作業となっていた。また、単一の２次元コード画像と複数の分割２次元コード画像とが横並びに等間隔で印刷されると、単一の２次元コード画像と複数の分割２次元コード画像とを視認により判別することができず、この点でも読み取り作業が煩わしいものとなっていた。
【０００４】
そこで本発明は、２次元コード画像の相互間の間隔を自在に指定して印刷を行うことができる印刷装置を提供することをその課題としている。
【課題を解決するための手段】
【０００５】
本発明の印刷装置は、複数の２次元コード画像を作成する画像作成手段と、複数の２次元コード画像の相互間の間隔を設定する間隔設定手段と、間隔設定手段によって設定した間隔を有して、複数の２次元コード画像を印刷する印刷手段と、を備えたことを特徴とする。
【０００６】
この構成によれば、複数の２次元コード画像の相互間の間隔をユーザが設定することができるため、読み易さ等を考慮して間隔を設定することができる。例えば、上記の間隔を比較的広く設定して印刷することで、２次元コード画像をコードリーダの読み取り範囲内に収めやすくなり、読取り作業を簡単に行うことができる。また、読取り部が幅広形状のコードリーダを使用しても、読取方向を変える必要がなく読取り作業を簡単に行うことができる。なお、２次元コードとしては、ＱＲコード、マイクロＱＲコード、Ｍａｘｉコード、Ｖｅｒｉコード、データマトリクス、ＰＤＦ４１７等がある。
【０００７】
この場合、間隔設定手段は、２次元コード画像が必要とする余白部分が確保され、且つ２次元コード画像が印刷媒体に収まる範囲で、間隔を選択設定するための複数の選択肢を有していることが、好ましい。
【０００８】
この構成によれば、簡単な操作で複数の２次元コードの相互間の間隔を設定することができる。また、２次元コード画像が必要とする余白部分や印刷媒体を考慮した適度な範囲の間隔設定が可能となる。なお、余白部分の幅は、隣接する２次元コード画像の個々の余白部分の幅を考慮した幅または重ね合わせた共通の幅の、いずれであってもよい。
【０００９】
これらの場合、複数の前記２次元コード画像が、一連の入力データを分割した複数の分割２次元コード画像から成ることが、好ましい。
【００１０】
この構成によれば、複数の分割２次元コード画像の相互間の間隔をユーザが指定することができるため、用途等に合わせて間隔を設定することができる。例えば、上記の間隔を比較的広く設定して印刷することで、一の分割２次元コード画像をコードリーダの読み取り範囲内に収めやすくなり、読取り作業を簡単に行うことができる。また、読取り部が幅広形状のコードリーダを使用しても、読取方向を変える必要がなく読取り作業を簡単に行うことができる。さらに、上記の相互間の間隔を比較的狭く設定することで、分割２次元コード画像同士の関係性を強くし、単一の２次元コード画像と複数の分割２次元コード画像とを視認により判別することができ、この点でも読み取り作業を簡単に行うことができる。
【００１１】
同様に、複数の前記２次元コード画像が、一連の入力データを分割した複数の分割２次元コード画像と単一の２次元コード画像とから成ることが、好ましい。
【００１２】
この構成によれば、単一の２次元コード画像と複数の分割２次元コード画像との相互の間隔設定が可能であるため、上記と同様に、これらの読取り作業を簡単に行うことができる。
【発明を実施するための最良の形態】
【００１３】
以下添付の図面を参照して、本発明の一実施形態に係る印刷装置について説明する。印刷装置は、テーププリンタ、インクジェットプリンタ、レーザープリンタ等のいずれによっても構成可能であるが、ここでは、テーププリンタに適用した場合について説明する。テーププリンタは、印刷データに基づいて印刷テープに印刷画像の印刷を行った後、印刷済みの印刷テープを切断して、ラベルを作成するためのものであり、文字などのキャラクタを印刷する機能の他、２次元コード画像を作成し印刷する機能を備えている。
【００１４】
図１および図２に示すように、テーププリンタ１０１は、印刷テープＴに対して印刷処理を行う装置本体１０２と、印刷テープＴおよびインクリボンＲを収容し、装置本体１０２に着脱自在に装着されるテープカートリッジＣと、を備えている。
【００１５】
装置本体１０２は、装置本体１０２をカバーリングした装置ケース１０３と、装置ケース１０３の内側に広く設けられた印刷処理部１１０と、装置ケース１０３の前半部上面に配設され各種キー１０４を備えたキーボード１０５と、装置ケース１０３の後半部左上面に広く設けられた開閉蓋１０６と、装置ケース１０３の後半部右上面に形成され、キーボード１０５からの入力結果等を表示する長方形のディスプレイ１０９と、開閉蓋１０６の内部に設けられ、窪入形成されたカートリッジ装着部１１１と、から構成されている。
【００１６】
開閉蓋１０６は、上面に形成されたテープカートリッジＣの装着／非装着を視認するための覗き窓１０７を有し、開閉蓋１０６の開放端側（前側）には、開放蓋１０６を開閉する蓋体開放ボタン１０８が設けられている。蓋体開放ボタン１０８を押すことで開閉蓋１０６を開放し、カートリッジ装着部１１１にテープカートリッジＣが着脱自在に装着可能になっている。
【００１７】
装置ケース１０３は、その左側部にカートリッジ装着部１１１と装置外部とを連通するテープ排出口１１２が形成され、このテープ排出口１１２に臨んで装置ケース１０３には、印刷テープＴを切断するためのカッタユニット１１４が内蔵されている。カッタユニット１１４は、モータ駆動（フルカッタモータ１１６）により、印刷テープＴをハサミ形式で切断するフルカッタ１１５と、フルカッタ１１５に対してテープ送り方向下流側に配設され、切断されたテープ片を強制的に排出する排出機構（図示省略）と、を備えている。また、装置ケース１０３の右側部には、電源供給のための電源供給口が形成されている（図示省略）。さらに、装置ケース１０３の内部には、装置本体１０２を統括制御する制御部１１７（図３参照）を構成する回路基板が搭載されている。
【００１８】
カートリッジ装着部１１１には、発熱素子を有しヘッドカバー１２０に覆われた印刷ヘッド１２１と、後述するテープリール１３１の位置決めをする位置決め突起１２２と、テープカートリッジＣの印刷テープＴおよびインクリボンＲを送り、印刷ヘッド１２１に対峙するプラテン駆動軸１２３と、インクリボンＲを巻き取る巻取り駆動軸１２４と、が突設されている。また、カートリッジ装着部１１１の底板の内側には、プラテン駆動軸１２３および巻取り駆動軸１２４を駆動する印刷送りモータ１２６（図３参照）や減速ギア列等（図示省略）が内蔵されている。
【００１９】
テープカートリッジＣは、カートリッジケース１３０と、カートリッジケース１３０の左側部に形成された送出口と、を有し、カートリッジケース１３０の内部には、印刷テープＴを巻回したテープリール１３１と、カートリッジケース１３０の右下部に位置しインクリボンＲを巻回したリボン繰出しリール１３２および印刷済みのインクリボンＲを巻き取るリボン巻取りリール１３３と、送出口近傍に位置し印刷テープＴとインクリボンＲとが重なる部分に対応し、上記のプラテン駆動軸１２３に嵌合して回転駆動するプラテンローラ１３５と、を収容して構成されている。また、カートリッジケース１３０左下部には印刷ヘッド１２１を覆うヘッドカバー１２０に差し込むための略方形の貫通開口１３４が形成されている。
【００２０】
印刷テープＴは、裏面に粘着剤層が塗着された記録テープＴ１と、この粘着剤層により記録テープＴ１に貼付された剥離テープＴ２とから構成されている。そして、印刷テープＴは、記録テープＴ１を外側にし、かつ剥離テープＴ２を内側にしてロール状に巻回されてカートリッジケース１３０内に収容されている。
【００２１】
以下テーププリンタ１０１の一連の動作を説明する。テープカートリッジＣをカートリッジ装着部１１１に装着すると、ヘッドカバー１２０に貫通開口１３４が、位置決め突起１２２にテープリール１３１が、巻取り駆動軸１２４にリボン巻取りリール１３３が、プラテン駆動軸１２３にプラテンローラ１３５が、それぞれ差し込まれる。この状態で開閉蓋１０６を閉蓋すると、これに連動して、印刷ヘッド１２１が印刷テープＴおよびインクリボンＲを挟み込んでプラテンローラ１３５に当接し、印刷待機状態となる。そして、データ作成装置で作成され、送られてきた印刷データに基づき、プラテン駆動軸１２３および巻取り駆動軸１２４が同期回転して、印刷テープＴおよびインクリボンＲを送りながら、印刷ヘッド１２１により印刷処理が行われる。印刷処理が行われたインクリボンＲは、貫通開口１３４の開口壁を半周回してリボン巻取りリール１３３に巻き取られる。印刷処理後の印刷テープＴは、印刷済み部分がフルカッタ１１５によりカットされ、カットされた印刷テープＴがラベルとしてテープ排出口１１２から外部に排出される。
【００２２】
次に、図３を参照し、テーププリンタ１０１の制御系の構成について説明する。テーププリンタ１０１は、キーボード１０５およびディスプレイ１０９を有し、ユーザによる文字情報の入力や各種情報の表示等のユーザインタフェースをつかさどる操作部１４２と、テープカートリッジＣ、印刷ヘッド１２１および印刷送りモータ１２６を有し、印刷テープＴおよびインクリボンＲを送りながら印刷テープＴ上に入力された文字情報に基づく印刷データを印刷する印刷処理部１１０と、フルカッタ１１５およびこれらを駆動するフルカッタモータ１１６を有し、印刷済みの印刷テープＴにフルカットを行う切断部１４３と、ディスプレイドライバ１４５、ヘッドドライバ１４６、印刷送りモータドライバ１４７、カッタモータドライバ１４８を有し、各部を駆動する駆動部１４９と、これら各部と接続され、テーププリンタ１０１全体を制御する制御部１１７と、により構成されている。
【００２３】
制御部１１７は、ＣＰＵ１５０、ＲＯＭ１５１、ＲＡＭ１５２および入力制御装置１５３（ＩＯＣ：Input Output Controller）を備え、互いに内部バス１５４により接続されている。詳細は後述するが、ＲＯＭ１５１内には、制御プログラムの他に、コード画像作成プログラムが記憶されており、コード画像作成プログラムは、バーコード画像およびＱＲコード画像１６２を作成するコード画像作成機能の他、一連の入力データから複数のコード画像を作成する分割機能(後述する分割メニュー１７６）、複数のコード画像の相互間の間隔を設定する間隔設定機能(後述する間隔設定メニュー１７７）を備えている。なお、上記構成に代え、コード画像作成プログラムはメモリーカード等の外部記憶媒体に記憶され、テーププリンタ１０１に設けたスロットから読み込まれるようにしてもよい。
【００２４】
ＲＡＭ１５２は、制御処理のための作業領域として使用され、上記コード画像作成プログラムおいて指定した各情報を記憶するコード画像作成領域や、作成された印刷データを印刷するために一時的に記憶される領域である印刷バッファ１５５を備えている。また、ＲＡＭ１５２は、テーププリンタ１０１の電源がオフにされても記憶したデータを保持しておくように図外のバックアップ回路によって電源の供給を受けるようになっている。
【００２５】
そして、ＣＰＵ１５０はＲＯＭ１５１内の制御プログラムにしたがって、ＩＯＣ１５３を介してテーププリンタ１０１の各部から各種信号・データが入力する。また、入力した各種信号・データに基づいて、ＲＡＭ１５２内の各種データを処理し、ＩＯＣ１５３を介してテーププリンタ１０１内の各部に各種信号データを出力し、これにより印刷処理の制御等を行う。なお、請求項に記載の分割画像作成手段および間隔設定手段は、上記制御部１１７により実現される。
【００２６】
ここで、本実施形態に係るテーププリンタ１０１では２次元コード画像（データ）を作成方法について説明する。２次元コードとしては、ＱＲコード、Ｍａｘｉコード、Ｖｅｒｉコード、データマトリクス、ＰＤＦ４１７等があるが、本実施形態では、例えば、ＱＲコード画像１６２を作成する場合について説明する。図６（ａ）に示すとおり、ＱＲコード画像１６２は、ＱＲコード画像１６２の最小の単位であるセル１６３（白黒の正方形）で構成された正方形のデータ領域１６４と、データ領域１６４の三隅に設けられ、位置検出および回転角度の認識に用いられる切り出しシンボル１６５と、データ領域１６４を囲むマージン領域１６６（余白マージン）とで構成されている。また、ＱＲコード画像１６２の大きさを設定するパラメータとして、入力データのデータ量、セル１６３の大きさおよび誤り訂正レベル等の設定条件がある。
【００２７】
以下、図４、図５および図９を参照して、ユーザによるテーププリンタ１０１の印刷手順を説明する。まず、ディスプレイ１０９にプレビュー領域１７１および編集作業領域１７２が表示されている状態（図４（ａ））で、ユーザがコード作成ボタン（図示省略）を押下すると、コードメニュー１７３が表示される（図４（ｂ）参照：図９（Ｓ１）参照）。コードメニュー１７３は、上述した「ＱＲコード」以外にも「ＮＷ−７」、「ＩＴＦ」、「ＣＯＤＥ３９」、「ＪＡＮ−１３」、「ＪＡＮ−８」、「ＵＰＣ−Ａ」および「ＵＰＣ−Ｅ」等の数種類のバーコードの選択肢を有し、いずれも選択可能となっている。
【００２８】
ここで「ＱＲコード」を選択すると、用途メニュー１７４が表示される（図４（ｃ）：図９（Ｓ２）参照）。用途メニュー１７４には、「一般」、「ＵＲＬ」の選択肢を有し、「一般」は任意の文字列を、「ＵＲＬ」はホームページのＵＲＬ（アドレス）を、それぞれＱＲコード画像１６２に格納したい場合に選択する。
【００２９】
用途メニュー１７４において「一般」、「ＵＲＬ」のいずれかを選択すると、誤り訂正レベルメニュー１７５が表示される（図４（ｄ）：図９（Ｓ３）参照）。誤り訂正レベルは、ＱＲコード画像１６２の一部分が損傷した場合においてもデータを損失することがなく、復元できるようしたものである。誤り訂正レベルメニュー１７５は、損傷の度合いに応じたレベル、「７％」、「１５％」、「２５％」および「３０％」の４段階で選択することができる。例えば、「３０％」を選択した場合には、データ領域１６４の３０％が損傷した場合でも、データを復元することが可能となる。
【００３０】
誤り訂正レベルを選択後に分割メニュー１７６が表示される（図５（ａ）：図９（Ｓ４）参照）。分割メニュー１７６は、「なし」、「２分割」、「３分割」および「４分割」の４つの選択肢を有し、「なし」を選択した場合には単一ＱＲコード画像１６２ａとして、「２分割」、「３分割」、「４分割」のいずれかの選択肢を選択した場合には、選択した分割数に分割された複数の分割ＱＲコード画像１６２ｂとして作業が進められる（図６（ｂ）参照）。
【００３１】
分割メニュー１７６において「２分割」、「３分割」、「４分割」のいずれかの選択肢を選択すると、ＱＲコード画像１６２の相互間の間隔Ｌ１を設定する間隔設定メニュー１７７が表示される（図５（ｂ）：図９（Ｓ５）参照）。また、「なし」の選択肢を選択すると、後述するデータ入力画面１７８が表示される（図９（Ｓ７）参照）。なお、「なし」の選択肢を選択した場合、予め分割ＱＲコード画像１６２ｂまたは単一ＱＲコード画像１６２ａが作成されている時のみ間隔設定メニュー１７７が表示される構成となっている（図９（Ｓ６）参照）。
【００３２】
間隔設定メニュー１７７は、「狭い」、「ふつう」、「広い」および「自動」の４つの選択肢を有している。例えば、「狭い」はＱＲコード画像１６２の余白マージンの幅ａ（４セル）、「ふつう」は余白マージンの幅ａ×５（２０セル）、「広い」は余白マージンの幅ａ×１０（４０セル）、「自動」はユーザが入力した任意の幅にそれぞれ設定される（図７（ａ）ないし（ｄ）参照）。これにより複数のＱＲコード画像１６２の相互間の間隔をユーザが設定することができるため、読み易さ等を考慮して間隔を設定することができる。なお、印刷テープＴの両端に位置するＱＲコードと印刷テープＴの端部との間隔Ｌ２は、装置の構造に起因して自動的に一定の間隔Ｌ２が空けられるよう構成されている。
【００３３】
「広い」を選択して印刷することで、間隔Ｌ１が比較的広く設定され、ＱＲコード画像１６２をコードリーダの読み取り範囲内に納めやすくなり、読み取り作業を簡単に行うことができる。また、読み取り部が幅広形状のコードリーダを使用しても、読取方向を変える必要が無く読み取り作業を簡単に行うことができる。
【００３４】
さらに、複数の分割ＱＲコード画像１６２ｂの相互間の間隔または単一ＱＲコード画像１６２ａと複数の分割ＱＲコード画像１６２ｂとの間隔の場合、「狭い」を選択して印刷することで、間隔Ｌ１が比較的狭く設定され、分割ＱＲコード画像１６２ｂ同士の関係性を強く表現することができる。すなわち、単一ＱＲコード画像１６２ａと複数の分割ＱＲコード画像１６２ｂとが混在していてもこれを視認により判別することができ、この点でも読み取り作業を簡単に行うことができる（図６（ｂ）参照）。なお、「狭い」を選択した場合、間隔Ｌ１の幅は、隣接するＱＲコード画像１６２の個々の余白マージンの幅ａを考慮した幅または重ね合わせた共通の幅の、いずれであってもよい。
【００３５】
なお、「自動」は、定長印刷で指定したテープ長とテープ長に印刷されるＱＲコード画像１６２の画像数に基づいて、相互の間隔が均等となる幅でもよい。また、単一ＱＲコード画像１６２ａと複数の分割ＱＲコード画像１６２ｂとを印刷する場合に、単一ＱＲコード画像１６２ａと隣り合う分割ＱＲコード画像１６２ｂとの間隙Ｌ３よりも複数の分割ＱＲコード画像１６２ｂの相互間の間隙Ｌ１のほうが狭く設定されるように構成してもよい（図６（ｂ）参照）。これにより、単一ＱＲコード画像１６２ａと複数の分割ＱＲコード画像１６２ｂとを視認により判別し易くなる。
【００３６】
本実施形態では、間隔Ｌ１を４段階に設定できる構成としたが、さらに余白マージンの幅ａから余白マージンの幅ａ×１０の範囲内で多段階に設定できる構成としてもよい。図８のように、幅広の印刷テープＴを使用する場合には、複数のＱＲコード画像１６２を縦方向に並べて印刷してもよい。
【００３７】
間隔設定メニュー１７７により、ユーザが所望の間隔Ｌ１を選択すると、入力データを格納するデータ入力画面１７８が表示される（図５（ｃ）：図９（Ｓ７）参照）。ここでデータ入力画面１７８に用途メニュー１７４で選択した任意の文字列またはホームページのＵＲＬの入力を行う。この時、所定のキー操作により改行が可能となっている（本実施形態では「シフト」＋「選択」）。任意の文字列を入力後（本実施形態では「あいうえお」）に確定ボタン（図示省略）を押下することでＱＲコード画像１６２が作成される（図９（Ｓ８）参照）。
【００３８】
作成されたＱＲコード画像１６２は、プレビュー領域１７１に間隔設定メニュー１７７で設定した間隔を空けて複数のＱＲコード画像１６２が表示される（図５（ｄ））。ここで、さらにＱＲコード画像１６２を作成する場合には、上記の作業（図４（ａ）から図５（ｃ））を繰り返して作成する（図９（Ｓ９））。以上の作業を行い、印刷ボタン（図示省略）を押下することで、印刷テープＴに複数のＱＲコード画像１６２を所望の間隔を空けて印刷することが可能となる。
【００３９】
本実施形態ではテーププリンタ１０１に印刷データ作成プログラムを内蔵したが、この構成に代えて、テーププリンタ１０１と、テーププリンタ１０１の外部に設けられ、印刷データ作成プログラムを内蔵したデータ作成装置（ＰＣ）と、これらを接続するケーブルと、で構成した印刷システムでもよい。この場合、装置ケース１０３の右側部には、データ作成装置に接続されるコネクタが形成されている。
【００４０】
以上のように、本実施形態のテーププリンタ１０１によれば、２次元コード画像の相互間の間隔を自在に指定して印刷を行うことができる。また、単一の２次元コード画像と分割の２次元コード画像とを視認により区別できるように間隔をあけることができる。
【図面の簡単な説明】
【００４１】
【図１】テーププリンタの閉蓋状態における外観斜視図である。
【図２】テーププリンタの開蓋状態における外観斜視図である。
【図３】テーププリンタの制御ブロック図である。
【図４】（ａ）はディスプレイに表示されるプレビュー領域および編集作業領域の模式図、（ｂ）はコードメニューの模式図、（ｃ）は用途メニューの模式図、（ｄ）は誤り訂正レベルメニューの模式図である。
【図５】（ａ）は分割メニューの模式図、（ｂ）は間隔設定メニューの模式図、（ｃ）はデータ入力画面の模式図、（ｄ）はＱＲコード画像がプレビュー領域に表示された時の模式図である。
【図６】（ａ）はＱＲコード画像を印刷して作成したラベル、（ｂ）はＱＲコード画像および分割ＱＲコード画像を印刷して作成したラベルである。
【図７】（ａ）ないし（ｄ）は、間隔設定の説明図である。
【図８】縦方向に印刷した場合の間隔設定の説明図である。
【図９】ＱＲコード画像作成のフローチャートである。
【符号の説明】
【００４２】
１０１…テーププリンタ（印刷装置）  １１０…印刷処理部（印刷手段）  １６２…ＱＲコード画像（２次元コード画像）  １６６…マージン領域（マージン）  １６２ａ…単一ＱＲコード画像（単一の２次元コード画像）  １６２ｂ…分割ＱＲコード画像（分割２次元コード画像）  Ｌ１…ＱＲコード画像の相互間の間隔  Ｔ…テープ（印刷媒体）
【図１】
2007216570.tif 000003
【図２】
2007216570.tif 000004
【図３】
2007216570.tif 000005
【図４】
2007216570.tif 000006
【図５】
2007216570.tif 000007
【図６】
2007216570.tif 000008
【図７】
2007216570.tif 000009
【図８】
2007216570.tif 000010
【図９】
2007216570.tif 000011